(57)【要約】      （修正有）【課題】収納ボックス本体には、上開口とサイド開口とが設けられ、上開口又はサイド開口から品物を取り出し可能な多機能持ち収納ボックスを提供する。【解決手段】底面と、前側面１２と、後側面１３と、左側面１４と、を有し、底面、前側面１２、後側面１３及び左側面１４から、上開口１５１を有する収容空間１５が構成され、底面の周縁には、下方に突出する凸縁が設けられている収納ボックス本体１０と、右側蓋２０と、を含み、右側蓋２０は、収納ボックス本体１０の右側にサイド開口１７が設けられており、サイド開口１７に右側蓋２０を被ることが可能であり、収納ボックス本体１０の右側の凸縁に溝１８が設けられており、溝１８は、底部空間に貫通し、収納ボックス本体１０の底面にレール溝が二つ設けられており、右側蓋２０の両側の底端にピン２１がそれぞれ設けられており、二つのピン２１は、溝内の前記二つのレール溝の囲み範囲に係止されている。【選択図】図１
0003190370.tif 000002
【実用新案登録請求の範囲】
【請求項１】
底面と、前側面と、後側面と、左側面と、を有し、前記底面、前記前側面、前記後側面及び前記左側面から、上開口を有する収容空間が構成され、前記底面の周縁には、下方に突出する凸縁が設けられており、前記凸縁から、下方に開口する底部空間が構成される収納ボックス本体と、
右側蓋と、
を含み、
前記右側蓋は、前記収納ボックス本体の右側にサイド開口が設けられており、前記サイド開口に前記右側蓋を被ることが可能であり、前記収納ボックス本体の右側の前記凸縁に溝が設けられており、前記溝は前記底部空間に貫通し、前記収納ボックス本体の底面にレール溝が二つ設けられており、前記二つのレール溝の間の距離は前記溝の幅よりもやや大きく、前記右側蓋の両側の底端にピンがそれぞれ設けられており、前記右側蓋の幅は前記溝の幅とほぼ同じてあり、前記二つのピンは、前記溝内の前記二つのレール溝の囲み範囲内に係止されており、前記右側蓋は、前記二つのピンを中心として旋回することが可能であり、水平に旋回して前記二つのレール溝をスライドすることが可能であり、これにより、前記右側蓋を前記収納ボックス本体の前記底部空間に入れることが可能であり、前記右側蓋の上端には、前記溝の幅よりも大きい凸部が設けられており、前記凸部により、前記収納ボックス本体の前記底部空間に前記右側蓋を完全に入れることができず、前記収納ボックス本体のサイド開口の上縁に条状突起部が設けられており、前記右側蓋が前記サイド開口を被るときには、前記凸部のオス係り具が前記条状突起部のメス係り溝と係合することを特徴とする多機能持ち収納ボックス。
【請求項２】
前記右側蓋の前記凸部の前記オス係り具は、条状突起、又は複数の円形突起であり、前記収納ボックス本体の前記オス係り具に対応する前記メス係り溝は嵌合溝であり、これにより、前記右側蓋が前記サイド開口を被るときには、前記条状突起、又は複数の前記円形突起が前記嵌合溝と係合して、前記右側蓋が固定され、前記収納ボックス本体が積み上げられても、前記右側蓋を旋回することが可能であることを特徴とする、請求項１に記載の多機能持ち収納ボックス。
【請求項３】
前記収納ボックス本体は、更に、上蓋を含み、前記上蓋は、前記収納ボックス本体の前記上開口を被ることが可能であることを特徴とする、請求項１に記載の多機能持ち収納ボックス。
【請求項４】
前記収納ボックス本体は、更に、第１ファスナーを含み、前記第１ファスナーは、前記収納ボックス本体の前記左側面に枢着されており、前記第１ファスナーを上方に旋回すると、前記上蓋と前記収納ボックス本体を押さえて固定することが可能であることを特徴とする、請求項３に記載の多機能持ち収納ボックス。
【請求項５】
前記右側蓋は、更に、第２ファスナーを含み、前記第２ファスナーは、前記右側蓋の上端の前記凸部に枢着されており、前記第２ファスナーを上方に旋回すると、前記上蓋と前記収納ボックス本体を押さえて固定することが可能であることを特徴とする、請求項４に記載の多機能持ち収納ボックス。
【請求項６】
前記上蓋の上面に矩形条状突起が設けられており、前記矩形条状突起により、複数の収納ボックスを積み上げる場合には、上方の前記収納ボックス本体を固定してやや押上げることが可能であり、これにより、前記第１ファスナーと前記第２ファスナーを引き出し、又は係合することが可能であることを特徴とする、請求項５に記載の多機能持ち収納ボックス。
【請求項７】
前記第１ファスナーと前記第２ファスナーとの係合面に凹部がそれぞれ設けられており、前記上蓋には、前記凹部に対応する凸部がそれぞれ設けられており、前記第１ファスナー及び前記第２ファスナーが前記上蓋を押さえて固定しているときには、前記凹部が前記凸部と係合することを特徴とする、請求項６に記載の多機能持ち収納ボックス。
【考案の詳細な説明】
【技術分野】
【０００１】
本考案は、収納ボックスに関し、特に、収納ボックス本体には、上開口と、サイド開口と、が設けられており、上開口に上蓋、サイド開口に右側蓋を被ることが可能であり、右側蓋を下方に旋回して収納ボックス本体の底部に入れることが可能であり、上開口又はサイド開口から品物を取り出すことが可能な多機能持ち収納ボックスに関するものである。
【背景技術】
【０００２】
品物を使用したくない場合には、収納ボックスに当該品物を収納することが一般的である。市販している収納ボックスは二つのタイプがある。一つは、ボックスに上開口が設けられており、前記上開口に上蓋を被ることが可能であり、前記上開口に前記上蓋を被ると、二つのファスナーを旋回して前記上蓋を押さえると、前記上開口に前記上蓋を固定することが可能なものである。しかし、このような収納ボックスを積み上げると、下方に位置する収納ボックスの内容物を取り出したいときには、上方に位置する収納ボックスを取り外すことが必要であるため、極めて面倒である。
【０００３】
もう一つは、引き出しに設計されるものである。このような収納ボックスを積み上げても、内容物を便利に取り出すことが可能である。しかし、このような収納ボックスは、ボックスと引き出しを別々に製造することが必要であり、より多くの材料を使用することが必要であり、そして引き出しを引き出しても、引き出しの奥に置かれている品物の取出しが容易ではない問題がある。
【考案の概要】
【考案が解決しようとする課題】
【０００４】
本考案の主な目的は、収納ボックス本体には、上開口と、サイド開口と、が設けられており、上開口に上蓋、サイド開口に右側蓋を被ることが可能であり、右側蓋を下方に旋回して収納ボックス本体の底部に入れることが可能であり、上開口又はサイド開口から品物を取り出すことが可能な多機能持ち収納ボックスを提供することにある。
【課題を解決するための手段】
【０００５】
本考案の多機能持ち収納ボックスによると、底面と、前側面と、後側面と、左側面と、を有し、底面、前側面、後側面及び左側面から、上開口を有する収容空間が構成され、底面の周縁には、下方に突出する凸縁が設けられており、凸縁から、下方に開口する底部空間が構成される収納ボックス本体と、右側蓋と、を含み、右側蓋は、収納ボックス本体の右側にサイド開口が設けられており、サイド開口に右側蓋を被ることが可能であり、収納ボックス本体の右側の凸縁に溝が設けられており、溝は底部空間に貫通し、収納ボックス本体の底面にレール溝が二つ設けられており、二つのレール溝の間の距離は溝の幅よりもやや大きく、右側蓋の両側の底端にピンがそれぞれ設けられており、右側蓋の幅は溝の幅とほぼ同じてあり、二つのピンは、溝内の二つのレール溝の囲み範囲内に係止されており、右側蓋は、二つのピンを中心として旋回することが可能であり、水平に旋回して二つのレール溝をスライドすることが可能であり、これにより、右側蓋を収納ボックス本体の底部空間に入れることが可能であり、右側蓋の上端には、溝の幅よりも大きい凸部が設けられており、凸部により、収納ボックス本体の底部空間に右側蓋を完全に入れることができず、収納ボックス本体のサイド開口の上縁に条状突起部が設けられており、右側蓋がサイド開口を被るときには、凸部のオス係り具が条状突起部のメス係り溝と係合することを特徴とする。
【０００６】
本考案の多機能持ち収納ボックスによると、右側蓋の凸部のオス係り具は、条状突起、又は複数の円形突起であり、収納ボックス本体のオス係り具に対応するメス係り溝は嵌合溝であり、これにより、右側蓋がサイド開口を被るときには、条状突起、又は複数の円形突起が嵌合溝と係合して、右側蓋が固定され、収納ボックス本体が積み上げられても、右側蓋を旋回することが可能であることを特徴とする。
【０００７】
本考案の多機能持ち収納ボックスによると、収納ボックス本体は、更に、上蓋を含み、上蓋は、収納ボックス本体の上開口を被ることが可能であることを特徴とする。
【０００８】
本考案の多機能持ち収納ボックスによると、収納ボックス本体は、更に、第１ファスナーを含み、第１ファスナーは、収納ボックス本体の左側面に枢着されており、第１ファスナーを上方に旋回すると、上蓋と収納ボックス本体を押さえて固定することが可能であることを特徴とする。
【０００９】
本考案の多機能持ち収納ボックスによると、右側蓋は、更に、第２ファスナーを含み、第２ファスナーは、右側蓋の上端の凸部に枢着されており、第２ファスナーを上方に旋回すると、上蓋と収納ボックス本体を押さえて固定することが可能であることを特徴とする。
【００１０】
本考案の多機能持ち収納ボックスによると、上蓋の上面に矩形条状突起が設けられており、矩形条状突起により、複数の収納ボックスを積み上げる場合には、上方の収納ボックス本体を固定してやや押上げることが可能であり、これにより、第１ファスナーと第２ファスナーを引き出し、又は係合することが可能であることを特徴とする。
【００１１】
本考案の多機能持ち収納ボックスによると、第１ファスナーと第２ファスナーとの係合面に凹部がそれぞれ設けられており、上蓋には、凹部に対応する凸部がそれぞれ設けられており、第１ファスナー及び第２ファスナーが上蓋を押さえて固定しているときには、凹部が凸部と係合することを特徴とする。
【考案の効果】
【００１２】
本考案の多機能持ち収納ボックスによれば、収納ボックス本体には、上開口と、サイド開口と、が設けられており、上開口に上蓋、サイド開口に右側蓋を被ることが可能であり、右側蓋を下方に旋回して収納ボックス本体の底部に入れることが可能であり、上開口又はサイド開口から品物を取り出すことが可能であるという効果を有する。
【図面の簡単な説明】
【００１３】
【図１】本考案の一実施例を示す分解斜視図である。
【図２】本考案の一実施例を示す斜視図である。
【図３】本考案の右側蓋を下方に旋回してサイド開口を露呈する状態を示す斜視図である。
【図４】本考案の一実施例の下方から見た斜視図である。
【図５】本考案の右側蓋の溝に押し入れられている状態を示す斜視図である。
【図６】本考案の上蓋を上方に引上げて右側蓋を下方に旋回した状態を示す斜視図である。
【図７】本考案の一実施例を積み上げる使用状態を示す斜視図である。
【図８】本考案の一実施例に品物が収容されている状態を示す斜視図である。
【考案を実施するための最良の形態】
【００１４】
以下、本考案の実施の形態を図面に基づいて説明する。
図１から図８を参照する。図１は本考案の一実施例を示す分解斜視図であり、図２は本考案の一実施例を示す斜視図であり、図３は本考案の右側蓋を下方に旋回してサイド開口を露呈する状態を示す斜視図であり、図４は本考案の一実施例の下方から見た斜視図であり、図５は本考案の右側蓋の溝に押し入れている状態を示す斜視図であり、図６は本考案の上蓋を上方に引上げて右側蓋を下方に旋回した状態を示す斜視図であり、図７は本考案の一実施例を積み上げる使用状態を示す斜視図であり、図８は本考案の一実施例に品物が収容されている状態を示す斜視図である。本考案の一実施例は、収納ボックス本体１０と、右側蓋２０と、を含む。
【００１５】
収納ボックス本体１０は、底面１１と、前側面１２と、後側面１３と、左側面１４と、を有する。底面１１、前側面１２、後側面１３及び左側面１４から、上開口１５１を有する収容空間１５が構成される。底面１１の周縁には、下方に突出する凸縁１６が設けられている。凸縁１６から、下方に開口する底部空間１６１が構成される。
【００１６】
収納ボックス本体１０の右側にサイド開口１７が設けられている。サイド開口１７に右側蓋２０を被ることが可能である。収納ボックス本体１０の右側の凸縁１５に溝１８が設けられている。溝１８は底部空間１６１に貫通する。収納ボックス本体１０の底面１１にレール溝１８１、１８２が設けられている。レール溝１８１、１８２の間の距離は溝１８の幅よりもやや大きい。右側蓋２０の両側の底端にピン２１がそれぞれ設けられている。右側蓋２０の幅は溝１８とほぼ同じてある。二つのピン２１は、溝１８内のレール溝１８１、１８２の囲み範囲内に係止されている。右側蓋２０は、二つのピン２１を中心として旋回することが可能であり、水平に旋回してレール溝１８１、１８２をスライドすることが可能である。これにより、右側蓋２０を収納ボックス本体１０の底部空間１６１に入れることが可能である。右側蓋２０の上端には、溝１８の幅よりも大きい凸部２２が設けられている。凸部２２により、収納ボックス本体１０の底部空間１６１に右側蓋２０を完全に入れることができない。収納ボックス本体１０のサイド開口１７の上縁に条状突起部１９が設けられている。右側蓋２０がサイド開口１７を被るときには、凸部２２のオス係り具２２１が条状突起部１９のメス係り溝１９１と係合する。
【００１７】
右側蓋２０の凸部２２のオス係り具２２１は、条状突起２２１１、又は複数の円形突起である。収納ボックス本体１０のオス係り具２２１に対応するメス係り溝１９１は嵌合溝１９１１である。このように、右側蓋２０がサイド開口１７を被るときには、条状突起２２１１、又は複数の前記円形突起が嵌合溝１９１１と係合して、右側蓋２０が固定される。収納ボックス本体１０が積み上げられても、右側蓋２０を旋回することが可能である。
【００１８】
収納ボックス本体１０は、更に、上蓋３０を含む。上蓋３０は、収納ボックス本体１０の上開口１５１を被ることが可能である。
【００１９】
収納ボックス本体１０は、更に、第１ファスナー４０を含む。第１ファスナー４０は、収納ボックス本体１０の左側面１４に枢着されている。第１ファスナー４０を上方に旋回すると、上蓋３０と収納ボックス本体１０を押さえて固定することが可能である。
【００２０】
右側蓋２０は、更に、第２ファスナー５０を含む。第２ファスナー５０は、右側蓋２０の上端の凸部２２に枢着されている。第２ファスナー５０を上方に旋回すると、上蓋３０と収納ボックス本体１０を押さえて固定することが可能である。
【００２１】
上蓋３０の上面に矩形条状突起３１が設けられている。矩形条状突起３１により、複数の収納ボックスを積み上げる場合には、上方の収納ボックス本体１０を固定してやや押上げることが可能である。このように、第１ファスナー４０と第２ファスナー５０を引き出し、又は係合することが可能である。
【００２２】
図６を参照する。第１ファスナー４０と第２ファスナー５０との係合面に凹部４１、５１がそれぞれ設けられている。上蓋３０には、凹部４１、５１に対応する凸部３２がそれぞれ設けられている。第１ファスナー４０及び第２ファスナー５０が上蓋３０を押さえて固定しているときには、凹部４１、５１が凸部３２と係合する。
【００２３】
図８を参照する。本考案の多機能持ち収納ボックスは、収納ボックスに品物を入れることが極めて便利であり、そして収納ボックスの積み上げも極めて便利である。このため、収納ボックス本体１０の収容空間１５に、カメラ、眼鏡やペンなどの品物６０を入れるときには、収納ボックス本体１０のサイド開口１７の付近に常用なものを置いて、収納ボックス本体１０のサイド開口１７から遠く離れる箇所に常用ではないものを置く。このように、複数の収納ボックス１を積み上げても、サイド開口１７から希望のものを迅速に取り出すことが可能である。
【００２４】
図１を参照する。右側蓋２０の上面にオス係り具２２１が設けられている。収納ボックス本体１０には、右側蓋２０のオス係り具２２１に対応するメス係り溝１９１が設けられている。右側蓋２０がサイド開口１７を被るときには、オス係り具２２１がメス係り溝１９１と係合する。このように、右側蓋２０が固定され、収納ボックス本体１０が積み上げられても、右側蓋２０を旋回することが可能である。
【産業上の利用可能性】
【００２５】
本考案は、収納ボックスに適用することができる。
【符号の説明】
【００２６】
１  収納ボックス
１０  収納ボックス本体
１１  底面
１２  前側面
１３  後側面
１４  左側面
１５  収容空間
１６  凸縁
１７  サイド開口
１８  溝
１９  条状突起部
２０  右側蓋
２１  ピン
２２  凸部
３０  上蓋
３１  矩形条状突起
４０  第１ファスナー
４１  凹部
５０  第２ファスナー
５１  凹部
６０  品物
１５１  上開口
１６１  底部空間
１８１  レール溝
１８２  レール溝
１９１  メス係り溝
２２１  オス係り具
１９１１  嵌合溝
２２１１  条状突起
【図１】
0003190370.tif 000003
【図２】
0003190370.tif 000004
【図３】
0003190370.tif 000005
【図４】
0003190370.tif 000006
【図５】
0003190370.tif 000007
【図６】
0003190370.tif 000008
【図７】
0003190370.tif 000009
【図８】
0003190370.tif 000010